(57)【要約】【課題】防水性に優れ、しかも筐体の厚みの増大をもたらさない構造の携帯電子装置およびその携帯電子装置の筐体構造の提供。【解決手段】表示部において、防水樹脂５は、回路基板４の全ての表面並びに液晶パネル３及び透明樹脂２の側縁を覆い、かつ回路基板４と液晶パネル３との間隙に充填してある。防水樹脂５は、カバーパネル１における透明樹脂２側の表面にまで至り、透明樹脂２側のカバーパネル１の表面に固着されている。筐体６ａ，６ｂでなる上筐体内において、回路基板４、液晶パネル３等の電気部品は防水樹脂５により一体的に覆われている。入力部において、防水樹脂１０は、キーシート部７、バッテリ８及び回路基板９ａ，９ｂという入力部の電気部品が全てを覆っている。上面筐体６ａには排水穴６ａ１−６ａ５が設けてあり、下面筐体１１ａには排水穴１１ａ１−１１ａ５が設けてある。【選択図】        図１
2011239139.tif 000002
【特許請求の範囲】
【請求項１】
筐体に内包されている全ての電気部品が防水樹脂で一体的に覆ってあり、
前記電気部品を覆う前記防水樹脂と前記筐体との間の空間を外部空間に開口する穴が該筐体に設けてある
ことを特徴とする携帯電子装置。
【請求項２】
カバーパネルと液晶パネルとの間隙に透明樹脂を充填してなるスクリーンフィット構造の液晶ディスプレイを有し、
前記電気部品は回路基板を含み、
少なくとも１つの前記回路基板が前記液晶パネルの背面に該液晶パネルに平行に配置してあり、
前記防水樹脂は、前記回路基板の全ての表面並びに前記液晶パネル及び前記透明樹脂の側縁を覆い、かつ該回路基板と該液晶パネルとの間隙に充填してあり、
前記透明樹脂の側縁を覆う前記防水樹脂は、前記カバーパネルにおける該透明樹脂側の表面にまで至り、該透明樹脂側の該カバーパネルの表面に固着されている
ことを特徴とする請求項１に記載の携帯電子装置。
【請求項３】
前記防水樹脂は、前記透明樹脂と同一の材料でなることを特徴とする請求項２に記載の携帯電子装置。
【請求項４】
携帯電子装置における電気部品を内包する筐体の構造であり、該電気部品の全てを防水樹脂で覆い、該樹脂と該防水筐体との間の空間を外部空間に開口する穴が該筐体に設けてあることを特徴とする携帯電子装置の筐体構造。
【請求項５】
前記携帯電子装置は、カバーパネルと液晶パネルとの間隙に透明樹脂を充填してなるスクリーンフィット構造の液晶ディスプレイを有し、
前記電気部品は回路基板を含み、
少なくとも１つの前記回路基板が前記液晶パネルの背面に該液晶パネルに平行に配置してあり、
前記防水樹脂は、前記回路基板の全ての表面並びに前記液晶パネル及び前記透明樹脂の側縁を覆い、かつ該回路基板と該液晶パネルとの間隙に充填してあり、
前記透明樹脂の側縁を覆う前記防水樹脂は、前記カバーパネルにおける該透明樹脂側の表面にまで至り、該透明樹脂側の該カバーパネルの表面に固着されている
ことを特徴とする請求項４に記載の携帯電子装置の筐体構造。
【請求項６】
前記防水樹脂は、前記透明樹脂と同一の材料でなることを特徴とする請求項５に記載の携帯電子装置の筐体構造。
【発明の詳細な説明】
【技術分野】
【０００１】
本発明は、携帯電話機その他の各種の携帯電子装置およびその筐体構造に関し、特に耐水性に優れた携帯電子装置およびその筐体構造に関する。
【背景技術】
【０００２】
携帯電子装置としては、携帯通信端末、携帯情報処理装置、携帯音楽プレーヤー、携帯ゲーム機、ディジタルカメラ等と称される各種の装置が実用されている。携帯通信端末としては、例えば携帯電話機やＰＨＳ(Personal Handy-phone System)がある。また、携帯情報処理装置としては、例えばＰＤＡ(Personal Digital Assistants)やノートパソコンがある。
【０００３】
代表的な携帯電子装置がある携帯電話機は、屋外で使用される際に雨滴が掛かったり、洗面の際に水が掛かったり、或いは誤って水中に落としたりし易い。そこで、近時では防水性は携帯電話機の標準的な機能となりつつある。
【０００４】
防水性を持たせるために、筐体にパッキンを備えた携帯電話機として、例えば特開平６−３７８７６号公報（特許文献１）に記載された携帯型無線電話機がある。この特許文献１の携帯型無線電話機では、筐体は下ケース（１）及び上ケース（２）でなり、下ケース（１）及び上ケース（２）夫々の開口部の端面に額縁形のゴムパッキン（４０）を介在させることにより、筐体を防水構造としている。
【０００５】
また、折り畳み式の携帯電話機における防水構造としては、例えば、特開２００７−５３７１８号公報（特許文献２）に開示されたものがある。特許文献２の携帯電話機は、上筐体（２）をヒンジ（４）によって下筐体（３）に開閉自在に連結してなり、防水パッキンを兼ねるキーパッド（５３）及び防水パッキン（６５）を有し、キーパッド（５３）及び防水パッキン（６５）で以って筐体に防水性を与えている。
【０００６】
上に述べたように、これら特許文献１および特許文献２の携帯電話機では、筐体を構成する部材の嵌合部にパッキンを介在させることにより防水性を得ている。
【先行技術文献】
【特許文献】
【０００７】
【特許文献１】特開平６−３７８７６号公報
【特許文献２】特開２００７−５３７１８号公報
【発明の概要】
【発明が解決しようとする課題】
【０００８】
前述のように、特許文献１及び２に記載の携帯電話機では、筐体を構成する部材の嵌合部にパッキンを介在させることにより防水性を得ているので、防水構造が、筐体の厚みを増大させ、筐体の薄型化を難しくする一つの要因となっていた。このように防水構造が筐体の厚みを増大させ、また筐体の薄型化を難しくするという事情は、携帯電話機やＰＨＳといった携帯通信端末のみならず、ＰＤＡやノートパソコン等の携帯情報処理装置、携帯音楽プレーヤー、携帯ゲーム機、ディジタルカメラ等と称される各種の携帯電子装置についても同様であった。
【０００９】
（本発明の目的）
そこで、本発明は、防水性に優れ、しかも筐体の厚みの増大をもたらさない構造の携帯電子装置およびその携帯電子装置の筐体構造の提供を目的とする。
【課題を解決するための手段】
【００１０】
前述の課題を解決するため、本発明による携帯電子装置およびその筐体構造は、次のような特徴的な構成を採用している。
【００１１】
（１）本発明による携帯電子装置は、筐体に内包されている全ての電気部品が防水樹脂で一体的に覆ってあり、
前記電気部品を覆う前記防水樹脂と前記筐体との間の空間を外部空間に開口する穴が該筐体に設けてある
ことを特徴とする。
（２）また、本発明による携帯電子装置の筐体構造は、携帯電子装置における電気部品を内包する筐体の構造であり、該電気部品の全てを防水樹脂で覆い、該防水樹脂と該筐体との間の空間を外部空間に開口する穴が該筐体に設けてあることを特徴とする。
【発明の効果】
【００１２】
本発明によれば、耐水性に優れ、しかも薄型化が容易な携帯電子装置およびその筐体構造を提供できる。
【図面の簡単な説明】
【００１３】
【図１】本発明の一実施形態である携帯電話機を概念的に示す縦断面図である。
【図２】図１の携帯電話機における表示部を概念的に示す縦断面図である。
【図３】図１の携帯電話機における入力部を概念的に示す縦断面図である。
【発明を実施するための形態】
【００１４】
以下、本発明による携帯電子装置およびその筐体構造の好適な実施形態について添付図を参照して説明する。
【００１５】
（本発明の特徴）
本発明の実施形態の説明に先立って、本発明の特徴についてその概要をまず説明する。本発明による携帯電子装置は、筐体に内包されている全ての電気部品が防水樹脂で一体的に覆ってあり、電気部品を覆う防水樹脂と筐体との間の空間を外部空間に開口する穴が該筐体に設けてある
ことを特徴とする。
【００１６】
（実施形態の構成例）
本発明による携帯電子装置およびその筐体構造の実施形態の実施形態について、その一例を、図１乃至図３を参照して詳細に説明する。図１は、本発明の一実施形態である折りたたみ式携帯電話機の構成を概念的に示す縦断面図である。また、図２は図１の折りたたみ式携帯電話機における表示部の構成を概念的に示す縦断面図であり、図３は図１の折りたたみ式携帯電話機における入力部の構成を概念的に示す縦断面図である。
【００１７】
この折りたたみ式携帯電話機は表示部２０と入力部３０とを連結部１５で連結してなる。表示部２０は、入力部３０に対し、連結部１５の回転軸（図示省略）を中心に任意の角度に手動で傾けられる。表示部２０の電子回路と入力部３０の電子回路とは、連結部１５内を通るフレキシブルプリント基板(Flexible Printed Circuit, FPC)１２により接続されている。
【００１８】
表示部２０は、液晶ディスプレイ、回路基板４、エポキシ樹脂である防水樹脂５、上筐体を含んでなる。その液晶ディスプレイは、カバーパネル１、透明樹脂２および液晶パネル３でなる。透明樹脂２は、カバーパネル１と液晶パネル３との間隙に充填してある紫外線（ＵＶ）硬化樹脂であり、カバーパネル１と液晶パネル３とを固着し、両パネルを一体化している。透明樹脂２の作用により、カバーパネル１と液晶パネル３との光学的整合がとられ、両パネルにおける界面反射が抑制される。カバーパネルと液晶パネルとの間隙に透明樹脂を充填した液晶ディスプレイの構造は、スクリーンフィット構造として知られている。回路基板４は液晶パネル３の背面に液晶パネル３に平行に配置してある。上筐体は、上面筐体６ａおよび側部筐体６ｂでなる。上面筐体６ａおよび側部筐体６ｂは、互いに嵌る嵌合部により相互に嵌合しているが、嵌合部の詳細構造の図示は省略してある。液晶パネル３及び回路基板４並びにフレキシブルプリント基板１２は互いに電気的に接続されているが、接続のためのリード線などの各種部材の図示は省略してある。
【００１９】
入力部３０は、キーシート部７、非接触充電方式のバッテリ８、回路基板９ａ，９ｂ、防水樹脂５と同じ材料でなる防水樹脂１０、下面筐体１１ａおよび側部筐体１１ｂ，１１ｃを有してなる。側部筐体１１ｂ及び１１ｃは、互いに嵌る嵌合部により相互に嵌合しているが、嵌合部の詳細構造の図示は省略してある。キーシート部７には、文字の入力および命令の入力のためのキーが複数個配列されている。キーシート部７、バッテリ８及び回路基板９ａ，９ｂ並びにフレキシブルプリント基板１２は互いに電気的に接続されているが、接続のためのリード線などの各種部材の図示は省略してある。
【００２０】
防水樹脂５及び１０は、前述のとおり、エポキシ樹脂でなる。エポキシ樹脂は、一般的に防水性を有し、本実施の形態では、半導体用エポキシ樹脂封止剤、エポキシ封止剤等の名称で販売されているものを用いる。本実施の形態で使用するエポキシ樹脂の商品名は、例えば日立化成工業株式会社から販売されている「半導体用エポキシ樹脂封止剤  ＣＥＬ」（登録商標）や、住友ベークライト株式会社から販売されている「半導体用液状封止樹脂  スミレジンエクセル（ｒ）ＣＲＰ」（登録商標）などである。
【００２１】
防水樹脂５は、回路基板４の全ての表面並びに液晶パネル３及び透明樹脂２の側縁を覆い、かつ回路基板４と液晶パネル３との間隙に充填してある。透明樹脂２の側縁を覆う防水樹脂５は、カバーパネル１における透明樹脂２側の表面にまで至り、透明樹脂２側のカバーパネル１の表面に固着されている。この構造により、上面筐体６ａおよび側部筐体６ｂでなる上筐体内には、回路基板４、液晶パネル３等の電気部品が含まれるが、これら全ての電気部品は、図１及び図２に示す構造により、防水樹脂５により一体的に覆われている。なお、液晶パネル３の表面側（カバーパネル１側）は、透明樹脂２で覆われ、防水樹脂５では覆われていない。しかしながら、液晶パネル３における電気部品は、全て背面側（回路基板４側）又は側面に配置してあり、全てが防水樹脂５では覆われていると言える。
【００２２】
上面筐体６ａには排水穴６ａ１，６ａ２，６ａ３，６ａ４及び６ａ５が設けてある。各排水穴６ａ１−６ａ５の径は、内部の水が流れ出すのに適した大きさであればよく、例えば５ｍｍΦである。このような構造の表示部では、防水樹脂５と上面筐体６ａとの間の空間は、排水穴６ａ１−６ａ５により外部空間に開口している。そこで、上面筐体６ａと側部筐体６ｂとの嵌合部、側部筐体６ｂとカバーパネル１との固着面境界等を経て、防水樹脂５と上面筐体６ａ及び側部筐体６ｂとの間の空間に水が浸入しても、内部の電気部品は、防水樹脂５で覆われることによる防水性が付与され、また侵入した水は排水穴６ａ１−６ａ５を通って、外部に排出される。かくして、本実施の形態における表示部（図２）は、防水性を付与された。
【００２３】
図３に示す入力部においても、図２の表示部と同様に、キーシート部７、バッテリ８及び回路基板９ａ，９ｂという電気部品が全て防水樹脂１０で覆われている。また、下面筐体１１ａには、排水穴１１ａ１，１１ａ２，１１ａ３，１１ａ４及び１１ａ５が設けてある。そこで、本実施の形態における入力部（図３）においても、表示部（図２）と同様に、防水性を付与されている。
【００２４】
上述の表示部（図２）では、防水樹脂５の材料はエポキシ樹脂としてが、防水樹脂５の材料を透明樹脂２と同じものとすることにより、スクリーンフィット構造の液晶ディスプレイの製造工程に続いて、本実施の形態における防水樹脂充填工程を実施することにより、本実施の形態の携帯電話機の製造工程を簡略化し、ひいては本実施の形態の携帯電話機の製造費の低減を図ることができる。
【００２５】
また、本実施の形態では、電気部品の全てを防水樹脂で覆うので、防水性が付与されるばかりでなく、液晶ディスプレイと回路基板４とが一体化され、またバッテリ８及び回路基板９ａ，９ｂが一体化されるので、筐体の剛性が増し、筐体の耐衝撃性を向上できる。
【００２６】
以上には、図１乃至図３を参照して、携帯電話機の実施の形態について、詳しく説明したが、本発明は、本実施の形態に限られるものではなく、例えば、携帯電話機ではなく、ＰＨＳ、ＰＤＡやノートパソコンといった携帯情報処理装置、携帯音楽プレーヤー、携帯ゲーム機、ディジタルカメラ等と称される各種の携帯電子装置に適用できることは勿論である。
【符号の説明】
【００２７】
１    カバーパネル
２    透明樹脂
３    液晶パネルで
４    回路基板
５    エポキシ樹脂である防水樹脂
６ａ    上面筐体
６ａ１，６ａ２，６ａ３，６ａ４，６ａ５    排水穴
６ｂ    側部筐体
７    キーシート部
８    非接触充電方式のバッテリ
９ａ，９ｂ    回路基板
１０    防水樹脂
１１ａ    下面筐体
１１ａ１，１１ａ２，１１ａ３，１１ａ４，１１ａ５    排水穴
１１ｂ，１１ｃ    側部筐体
１２    フレキシブルプリント基板(Flexible Printed Circuit, FPC) 
１５    連結部
２０    表示部
３０    入力部
【図１】
2011239139.tif 000003
【図２】
2011239139.tif 000004
【図３】
2011239139.tif 000005